(57)【特許請求の範囲】
【請求項１】
読出しモード時にはレーザ光出力が読出しパワーレベルの目標値となるようにレーザ駆動手段を制御して前記光ディスク上から信号を読出し、記録モード時には、一定の回転速度で光ディスクを回転駆動して、前記レーザ光出力が前記読出しパワーレベルにほぼ等しいボトムパワーレベルの目標値と書込みパワーレベルの目標値とに交互になるように前記レーザ駆動手段を制御して前記光ディスク上に記録密度が一定の信号を記録する光ディスク記録装置のレーザ出力制御装置において、
読出しモード時には前記レーザ光出力の読出しパワーレベルを検出し、記録モード時には前記レーザ出力のボトムパワーレベルを検出する読出し／ボトムパワーレベル検出手段と、
この読出し／ボトムパワーレベル検出手段で検出された読出しパワーレベル又はボトムパワーレベルの検出値とそれぞれの目標値との差分に応じた読出しレベル制御信号又はボトムレベル制御信号を出力する読出し／ボトムレベル制御信号出力手段と、
記録モード時に前記レーザ光出力の書込みパワーレベルを検出する書込みパワーレベル検出手段と、
この書込みパワーレベル検出手段で検出された書込みパワーレベルの検出値とその目標値との差分に応じた書込みレベル制御信号を出力する書込みレベル制御信号出力手段と
を備え、
前記読出し／ボトムレベル制御信号出力手段は、
読出しモード時には前記読出しレベル制御信号を前記レーザ駆動手段に出力し、記録モード時には記録信号に基づいて前記ボトムレベル制御信号と書込みレベル制御信号とを切り換えて前記レーザ駆動手段に出力する制御信号出力手段と、
記録動作を行うボトムパワーレベルサンプリング期間に移行する直前の前記読出しレベル制御信号をサンプリングし、前記ボトムパワーレベルサンプリング期間移行後はこれをホールドする読出しレベル制御信号サンプル／ホールド手段と、
前記ボトムパワーレベルサンプリング期間へ移行後のボトムパワーレベルサンプリング期間内の所定期間で前記ボトムパワーレベルの検出値をサンプリングするボトムパワーレベルサンプル／ホールド手段と、
前記記録モードに先立って前記ボトムパワーレベルサンプリング期間において少なくとも２種類の線速度の記録動作を行って各線速度での前記ボトムパワーレベルをサンプリングして取得する際に、前記ボトムパワーレベルサンプリング期間内での所定期間では、前記読出しレベル制御信号サンプル／ホールド手段にホールドされたホールド値を前記ボトムレベル制御信号として出力させると共に前記読出し／ボトムパワーレベル検出手段からのボトムパワーレベルの検出値を前記ボトムパワーレベルサンプル／ホールド手段にサンプル／ホールドさせて取得し、前記記録モード時には光ディスクの記録位置から記録すべき線速度を求めると共に前記求められた線速度における前記ボトムパワーレベルの目標値を前記サンプリングされた各線速度でのボトムパワーレベルから補間処理によって求め、この求められたボトムパワーレベルの目標値と前記読出し／ボトムパワーレベル検出手段で検出されたボトムパワーレベルの検出値との差分に応じたボトムレベル制御信号を出力させる制御手段と
を備え、
前記記録モードはＣＡＶ（Constant Angular Velocity）記録又は部分ＣＡＶ記録におけるＣＡＶ記録期間であり、
前記制御手段は、前記ＣＡＶ記録期間に先立つ前記ボトムパワ−レベルサンプリング期間において行う記録動作の線速度を、前記記録信号のクロックレートを変化させることにより異ならせるものである
ことを特徴とする光ディスク記録装置のレーザ出力制御装置。
【発明の詳細な説明】
【０００１】
【発明の属する技術分野】
この発明は、ＣＤ−Ｒ、ＣＤ−ＲＷ、ＣＤ−ＷＯ、ＭＤ、ＤＶＤのような光ディスクに対して光パワーによって情報を記録するＣＡＶ記録方式の光ディスク記録装置のレーザ出力制御装置及び方法に関する。
【０００２】
【従来の技術】
追記型及び書換可能型の光ディスクでは、例えば色素系記録材料等を塗布形成して、その上にレーザ光を照射することにより記録ピットを形成する。記録ピットを光ディスクに一定条件で安定して形成するには、常に一定のレーザパワーが得られるようにＬＤ（Ｌａｓｅｒ  Ｄｉｏｄｅ）の駆動電流を制御する必要がある。レーザ光による記録波形は、例えば図４に示すように、記録レベルに達しないボトムレベルＢＰ（＝リードレベルＲＰ）から記録ピットが形成されるライトレベルＷＰまで立ち上がる矩形波を基本とする。リードレベル及びボトムレベルの変動は、フォーカス及びトラッキングサーボゲインに悪影響を及ぼす。また、ライトレベルの変動は、記録ピットの形成品質に影響を与える。従って、安定した記録再生動作を実現するためには、リードレベルＲＰ、ボトムレベルＢＰ及びライトレベルＷＰが常に目標レベルを維持するようにＬＤを駆動制御する必要がある。
【０００３】
図５は、このようなＬＤの駆動制御を行うための従来の光ディスク記録再生装置のレーザ出力制御装置の構成を示すブロック図である。
レーザ駆動装置１によって駆動されるレーザダイオード（ＬＤ）２からのレーザ光は、図示しない光ディスク上に記録された記録情報の読出し及び光ディスク上への記録情報の書込みのため光ディスクに照射される。このときのレーザ光の出力パワーの目標値は、読出しモード時は図４のリードレベルＲＰ、記録モード時は図４のボトムレベルＢＰ及びライトレベルＷＰである。フォトダイオード（ＰＤ）３は、光ディスクからの反射光の一部又は光ディスクに照射されるレーザ光の一部を受光して電気信号に変換する。このＰＤ３からの受光信号は、Ｉ／Ｖ変換器４で電流信号から電圧信号に変換され、レーザ出力検出信号Ｉ／ＶＯＵＴとして出力される。レーザ出力検出信号Ｉ／ＶＯＵＴは、リード／ボトムパワー検出回路５とライトパワー検出回路６に供給されている。リード／ボトムパワー検出回路５は、読出しモード時には、レーザ出力検出信号Ｉ／ＶＯＵＴを一定の時間間隔でサンプル／ホールドしてリードパワーＲＰを検出し、記録モード時には、レーザ出力検出信号Ｉ／ＶＯＵＴの矩形波のボトム部分をサンプル／ホールドしてボトムパワーＢＰを検出する。ライトパワー検出回路６は、記録モード時に、レーザ出力検出信号Ｉ／ＶＯＵＴの矩形波のピーク部分をサンプル／ホールドしてライトパワーＷＰを検出する。リード／ボトムパワー検出回路５とライトパワー検出回路６におけるサンプル／ホールドタイミングは、記録信号であるＥＦＭ（Ｅｉｇｈｔ  ｔｏ  Ｆｏｕｒｔｅｅｎ  Ｍｏｄｕｌａｔｉｏｎ）信号に従いレーザパワー切換制御装置７によって制御される。リード／ボトムパワー検出回路５から出力されるリード／ボトムパワー検出信号Ｒ／ＢＰＤは、減算器８でリード／ボトムパワー目標値Ｒ／ＢＰＲｅｆを減算され、リード／ボトムパワー制御信号Ｒ／ＢＰＣとなって切換器１０のＡ端子側に供給される。ライトパワー検出回路６から出力されるライトパワー検出信号ＷＰＤは、減算器９でライトパワー目標値ＷＰＲｅｆを減算され、ライトパワー制御信号ＷＰＣとなって切換器１０のＢ端子側に供給される。切換器１０は、ＥＦＭ信号に従いレーザパワー切換制御装置７によって切換制御され、レーザ駆動装置１に制御信号Ｒ／ＢＰＣ及びＷＰＣを選択的に供給する。
【０００４】
図６は、このように構成された従来のレーザ出力制御装置の動作を示すタイムチャートである。レーザ出力制御装置は、読出しモード期間中は、切換器１０をＡ端子側に固定してレーザパワーをディスク上にピットが形成されないレベル以下の一定のリードレベルＲＰとなるようにレーザ駆動装置１を制御する。また、レーザ出力制御装置は、記録モード期間中は、ピット部では切換器１０をＢ端子側に接続してレーザパワーを書込みレベルまで上げてディスク上にピットを形成し、ランド部では切換器１０をＡ端子側に接続してディスク上にピットが形成されないレベル以下の一定のボトムレベルＢＰとなるようにレーザ駆動装置１を制御する。
【０００５】
【発明が解決しようとする課題】
ところで、ＣＡＶ（Ｃｏｎｓｔａｎｔ  Ａｎｇｕｌａｒ  Ｖｅｌｏｃｉｔｙ）記録（部分ＣＡＶ記録も含む）を行う光ディスク装置では、スピンドルの回転数を一定に保持したまま記録密度一定の記録動作を行うため、光ディスク上の記録位置が内周側から外周側へと変化するに従って、記録速度（線速度）が増加していく。一方、記録モード時のボトムレベルＢＰは、レーザ出力検出信号Ｉ／ＶＯＵＴの矩形波のボトム部分をサンプル／ホールドして取得するが、記録速度が増加していくと、ＰＤ３を含む検出系の応答速度が追いつかず、図６のレーザ出力検出信号Ｉ／ＶＯＵＴの拡大図の点線部分に示すように、レーザ出力検出信号Ｉ／ＶＯＵＴに波形のなまりが生じる。この部分をサンプル／ホールドすると、リード／ボトムパワー検出回路５の検出信号Ｒ／ＢＰＤと実際のボトムレベルとの間でオフセットが生じてしまう。このオフセットにより、レーザ駆動装置１は、記録時のボトムレベルを低下させるように動作するので、レーザ駆動信号Ｒ／ＢＰが適正値よりも低下してしまう。このオフセットは、ライトパワーによっても影響され、記録速度の増加に伴ってライトパワーを増加させると、オフセットも益々大きくなってしまう。
【０００６】
このような記録速度の変化に伴うボトムレベルの変化があると、フォーカス及びトラッキングサーボゲインが変動し、サーボが不安定になるという問題がある。更にオフセットが大きい場合にはレーザが消灯してしまうという問題がある。
【０００７】
この発明は、このような問題点を解決するためになされたもので、記録位置によって記録速度が変化するＣＡＶ方式の光ディスク記録装置において、レーザパワーを常に適切な値に制御することができ、安定した記録動作を可能にする光ディスク記録装置のレーザ出力制御装置及び方法を提供することを目的とする。
【０００８】
【課題を解決するための手段】
この発明に係る光ディスク記録装置のレーザ出力制御装置は、読出しモード時にはレーザ光出力が読出しパワーレベルの目標値となるようにレーザ駆動手段を制御して前記光ディスク上から信号を読出し、記録モード時には、一定の回転速度で光ディスクを回転駆動して、前記レーザ光出力が前記読出しパワーレベルにほぼ等しいボトムパワーレベルの目標値と書込みパワーレベルの目標値とに交互になるように前記レーザ駆動手段を制御して前記光ディスク上に記録密度が一定の信号を記録する光ディスク記録装置のレーザ出力制御装置において、読出しモード時には前記レーザ光出力の読出しパワーレベルを検出し、記録モード時には前記レーザ出力のボトムパワーレベルを検出する読出し／ボトムパワーレベル検出手段と、この読出し／ボトムパワーレベル検出手段で検出された読出しパワーレベル又はボトムパワーレベルの検出値とそれぞれの目標値との差分に応じた読出しレベル制御信号又はボトムレベル制御信号を出力する読出し／ボトムレベル制御信号出力手段と、記録モード時に前記レーザ光出力の書込みパワーレベルを検出する書込みパワーレベル検出手段と、この書込みパワーレベル検出手段で検出された書込みパワーレベルの検出値とその目標値との差分に応じた書込みレベル制御信号を出力する書込みレベル制御信号出力手段と、読出しモード時には前記読出しレベル制御信号を前記レーザ駆動手段に出力し、記録モード時には記録信号に基づいて前記ボトムレベル制御信号と書込みレベル制御信号とを切り換えて前記レーザ駆動手段に出力する制御信号出力手段とを備え、前記読出し／ボトムレベル制御信号出力手段は、記録動作を行うボトムパワーレベルサンプリング期間に移行する直前の前記読出しレベル制御信号をサンプリングし、前記ボトムパワーレベルサンプリング期間移行後はこれをホールドする読出しレベル制御信号サンプル／ホールド手段と、前記ボトムパワーレベルサンプリング期間へ移行後のボトムパワーレベルサンプリング期間内の所定期間で前記ボトムパワーレベルの検出値をサンプリングするボトムパワーレベルサンプル／ホールド手段と、前記記録モードに先立って前記ボトムパワーレベルサンプリング期間において少なくとも２種類の線速度の記録動作を行って各線速度での前記ボトムパワーレベルをサンプリングして取得する際に、前記ボトムパワーレベルサンプリング期間内での所定期間では、前記読出しレベル制御信号サンプル／ホールド手段にホールドされたホールド値を前記ボトムレベル制御信号として出力させると共に前記読出し／ボトムパワーレベル検出手段からのボトムパワーレベルの検出値を前記ボトムパワーレベルサンプル／ホールド手段にサンプル／ホールドさせて取得し、前記記録モード時には光ディスクの記録位置から記録すべき線速度を求めると共に前記求められた線速度における前記ボトムパワーレベルの目標値を前記サンプリングされた各線速度でのボトムパワーレベルから補間処理によって求め、この求められたボトムパワーレベルの目標値と前記読出し／ボトムパワーレベル検出手段で検出されたボトムパワーレベルの検出値との差分に応じたボトムレベル制御信号を出力させる制御手段を備え、前記記録モードはＣＡＶ（Constant Angular Velocity）記録又は部分ＣＡＶ記録におけるＣＡＶ記録期間であり、前記制御手段は、前記ＣＡＶ記録期間に先立つ前記ボトムパワ−レベルサンプリング期間において行う記録動作の線速度を、前記記録信号のクロックレートを変化させることにより異ならせるものであることを特徴とする。
【００１０】
この発明によれば、記録モードに先立ち、少なくとも２種類の線速度で記録動作を行ってボトムパワーレベルをサンプリングし、記録モード時には光ディスクの記録位置から記録すべき線速度を求めると共に前記求められた線速度における前記ボトムパワーレベルの目標値を前記サンプリングされた各線速度でのボトムパワーレベルから補間処理によって求め、この求められたボトムパワーレベルの目標値と前記読出し／ボトムパワーレベル検出手段で検出されたボトムパワーレベルの検出値との差分に応じたボトムレベル制御信号を出力して前記レーザ駆動手段を制御するようにしているので、記録位置に伴って記録速度が変化しても誤差を生じることがなく、常にボトムパワーが一定となるように制御することができる。
【００１１】
【発明の実施の形態】
以下、図面を参照して、この発明の好ましい実施の形態について説明する。
図１は、この発明の一実施形態に係る光ディスク記録再生装置のレーザ出力制御装置の構成を示すブロック図である。
なお、図１において、図５と同一部分には同一符号を付し、重複する部分の詳しい説明は割愛する。
このレーザ出力制御装置では、ＣＰＵ２０と、Ａ／Ｄ変換器２１及びＤ／Ａ変換器２２，２３と、サンプル／ホールド回路２４とを新たに追加している。Ａ／Ｄ変換器２１は、ＣＡＶ記録における各記録位置でのボトムパワーの目標値を決定するために必要な情報をサンプリングするためもので、レーザパワー切換制御装置１５からの制御に基づいて、ＣＡＶ記録に先立つボトムサンプル期間にリード／ボトムパワー検出回路５から出力されるリード／ボトムパワー検出信号Ｒ／ＢＰＤをサンプリングしてＡ／Ｄ変換する。ＣＰＵ２０は、少なくとも２種類の記録速度についてＡ／Ｄ変換器２１からのボトムパワーのサンプル値を取り込み、これらサンプル値から線速度とボトムパワーの目標値との関係（式）を求め、記録モードにおいて、回転速度と記録位置と記録密度とから記録の際の線速度を求め、上記線速度とボトムレベルの目標との関係からその線速度に対応したボトムレベルの目標値を算出する。この算出された目標値は、Ｄ／Ａ変換器２２でＤ／Ａ変換された後、切換器１３のＢ端子側にボトムパワーの目標値ＢＰＲｅｆとして供給されている。切換器１３のＡ端子側には、Ｄ／Ａ変換器２３からのリードパワー目標値ＲＰＲｅｆが供給されている。切換器１３は、これら目標値ＢＰＲｅｆ，ＲＰＲｅｆを切り換えて、減算器８にリード／ボトムパワー目標値Ｒ／ＢＰＲｅｆを供給する。
【００１２】
一方、サンプル／ホールド回路２４は、ボトムパワー制御信号を記憶しておくもので、レーザパワー切換制御装置１５からの制御に基づいて、減算器８から出力されるリード／ボトムパワー制御信号Ｒ／ＢＰＣを記録モードに移行する直前にサンプリングし、記録モードに移行後ホールドする。切換器１４は、Ａ端子、Ｂ端子及びＣ端子を備え、減算器８から出力されるリード／ボトムパワー制御信号Ｒ／ＢＰＣをＡ端子に導入し、減算器９から出力されるライトパワー制御信号ＷＰＣをＢ端子に導入し、サンプル／ホールド回路１２のホールド値ＲＰＣＨをＣ端子に導入して、これらをレーザパワー切換制御装置１５の制御に基づいて切り換えて、レーザ駆動装置１に供給する。
ここで、減算器８、切換器１３、ＣＰＵ２０、Ａ／Ｄ変換器２１、Ｄ／Ａ変換器２２，２３及びサンプル／ホールド回路２４でこの発明における読出し／ボトムレベル制御信号出力手段が構成される。
【００１３】
図２は、このように構成されたレーザ出力制御装置の動作を説明するためのタイミングチャートである。
ＣＡＶ記録期間（記録モード）に先立つ期間では、複数の線速度についてボトムパワーをサンプリングする。即ち、まず読出しモード期間では、切換器１３，１４が共にＡ端子に固定される。この結果、ＬＤ２を駆動するレーザ駆動装置１は、ＬＤ２からのレーザ光のパワーがディスク上にピットが形成されないレベル以下のリードパワー目標値ＲＰＲｅｆとなるように制御される。このときサンプル／ホールド回路２４はサンプリング状態（スイッチオン）となる。
【００１４】
次のボトムサンプル期間では、例えば４倍速に相当する記録信号ＬＤ２に供給して記録動作を行い、Ａ／Ｄ変換器２１を動作させてリード／ボトムパワー検出回路５からのリード／ボトムパワー検出信号Ｒ／ＢＰＤをＡ／Ｄ変換する。ＣＰＵ２０はこのＡ／Ｄ変換器２１の出力を記憶する。なお、この記録動作は、実際に光ディスク駆動用のスピンドルの回転数や記録位置を変えて線速度を４倍速に設定する必要はなく、クロックレートを４倍速に合わせるようにすればよい。また、ＰＤ３でのＬＤパワーのモニタが、実際の記録を伴わずに可能である場合には、光ディスクへ実際に記録することは必ずしも必須の要件ではない。要はＬＤパワーを記録時と同様のパワーで点灯させれば良い。
【００１５】
この期間では、サンプル／ホールド回路２４がホールド状態（スイッチオフ）となり、切換器１４は、Ｂ端子に供給されるライトパワー制御信号とＣ端子に供給されるホールド値ＲＰＣＨとを切換える。これによりレーザ駆動装置１に供給されるボトムパワー制御信号としては、ボトムサンプル期間に入る直前のリードパワー制御信号と等しいサンプル／ホールド回路２４のホールド値ＲＰＣＨが使用される。従って、ボトムレベルにオフセットが生じても、ボトムパワーを決定する制御信号は、この期間変動しないで読出しモード期間の時と同じレベルを維持する。
【００１６】
次に、先に述べたのと同様の読み出しモード期間を介した後、次に例えば１０倍速に相当する記録信号ＬＤ２に供給して上記４倍速と同様のボトムサンプル期間での記録動作を行う。このときのＡ／Ｄ変換器２１の出力もＣＰＵ２０に記憶される。なお、ボトムサンプル期間でのライトパワーＷＰは、測定記録速度での代表的な値を用いればよい。
【００１７】
次に、ＣＡＶ記録期間（記録モード）に入ると、ＣＰＵ２０は光ディスクへの記録位置、光ディスクの回転速度及び記録密度に基づいて、当該記録位置での線速度を求め、この線速度に対応したボトムパワーの目標値ＢＰＲｅｆを算出する。このボトムパワーの目標位置ＢＰＲｅｆは、４倍速のボトムサンプル期間で得られたボトムパワーＢＰ（４）と、１０倍速のボトムサンプル期間で得られたボトムパワーＢＰ（１０）とから直線補間等によって求めることができる。この期間では、切換器１３がＢ端子側に切り換わるので、ＣＰＵ２０で求められたボトムパワーの目標値ＢＰＲｅｆが減算器８への目標値Ｒ／ＢＰＲｅｆとして供給されてサーボがかかる。これにより、検出値と目標値の双方にオフセットが同様に含まれることになるので、結局、リード／ボトムパワー制御信号Ｒ／ＢＰＣからオフセットの影響を排除した状態でのレーザパワー制御がなされることになる。切換器１４は、ボトムサーボ期間では、Ａ端子とＢ端子とを切り換えて、ボトムレベルとライトレベルのフィードバック制御がなされることになる。
【００１８】
このレーザ出力制御装置によれば、ボトムサンプル期間は、ＬＤ２には、読出しモード時のリードパワー制御電圧がそのまま印加され続けているため、この間はオープンループとなっているが、このボトムサンプル期間は、各記録速度でのボトムパワーをサンプリングするのに必要な時間だけ設定すれば良いので比較的短時間であり、ＬＤ２のボトムのレーザパワーは、読出しモードと同じレベルのパワーが出力されている。そして、ボトムサンプル期間のボトムパワー検出値は、読出しモード時と同じレベルのボトムパワーを出力する際の目標電圧になる。これにより、リード／ボトムパワー検出回路５で検出されたボトムパワーにオフセットが発生していても誤差を生じることなく、ボトムパワーが一定となるように制御することができる。
【００１９】
なお、この発明は上述した実施例に限定されるものではない。例えば、上記実施例では、２つの異なる線速度（４倍速、１０倍速）でボトムパワーをサンプリングしたが、３つ以上の異なる線速度でボトムパワーをサンプリングするようにしても良い。この場合、オフセットの特性に合わせて、更に多次の補間処理を行うようにしても良い。補間処理は内挿処理のみならず、外挿処理、例えば４倍速のボトムパワーと６倍速のボトムパワーとから１０倍速のボトムパワーの目標値を求めるようにしても良い。
【００２０】
また、上記実施例では、４倍速のボトムサンプル期間と１０倍速のボトムサンプル期間との間に読み出しモード期間を設けたが、読み出しモード期間を設けずに、異なる線速度のボトムサンプル期間を連続させるようにしても良い。このボトムサンプル期間は、例えばＰＣＡ（Ｐｏｗｅｒ  Ｃａｌｉｂｒａｔｉｏｎ  Ａｒｅａ）のテストエリアで最適パワーを求めるためのテスト記録時に設けるようにしても良いし、カウントエリアでのライト時に設けるようにしても良い。
【００２１】
また、ボトムレベルのオフセットは、記録速度の他にライトパワーによっても変化することがある。そこで、ボトムサンプル期間にライトパワーを種々変えてボトムパワーをサンプリングするようにしても良い。ＰＣＡのテストエリアでは、元々最適パワーを求めるためにライトパワーを段階的に変化させるが、このときの各ライトパワーに対するボトムパワーをサンプリングするようにすればよい。
【００２２】
図２は、ライトパワーもモニタするようにした他の実施例の光ディスク記録装置の構成を示すブロック図である。ライトパワー検出回路６の出力ＷＰＤは、Ａ／Ｄ変換器３１でＡ／Ｄ変換され、ＣＰＵ２０に取り込むようになっている。ＣＰＵ２０は、ライトパワーからボトムパワーの目標値を補正する。その他の構成は図１と同様である。
この実施例によれば、記録速度の変化に対応させてライトパワーも変化させた場合、線速度から求められたボトムパワーの目標値をライトパワーによって補正することができるので、更に安定した制御が可能になる。
【００２３】
以上述べたように、この発明によれば、少なくとも２種類の線速度で記録動作を行ってボトムパワーレベルをサンプル／ホールドしてこれらサンプル／ホールドした値から線速度とボトムパワーレベルの目標値との関係を求め、記録モード時には光ディスクの記録位置から記録すべき線速度を求めると共に前記求められた線速度における前記ボトムパワーレベルの目標値を前記線速度とボトムパワーレベルの目標値との関係から求め、この求められたボトムパワーレベルの目標値と前記読出し／ボトムパワーレベル検出手段で検出されたボトムパワーレベルの検出値との差分に応じたボトムレベル制御信号を出力して前記レーザ駆動手段を制御するようにしているので、記録位置に伴って記録速度が変化しても誤差を生じることがなく、常にボトムパワーが一定となるように制御することができる。
【図面の簡単な説明】
【図１】この発明の一実施形態に係る光ディスク記録装置のレーザ出力制御装置のブロック図である。
【図２】同装置の動作を示すタイミングチャートである。
【図３】この発明の他の実施形態に係る光ディスク記録装置のレーザ出力制御装置のブロック図である。
【図４】リードパワー、ボトムパワー及びライトパワーを説明するための図である。
【図５】従来の光ディスク記録再生装置のレーザ出力制御装置のブロック図である。
【図６】同装置の動作を示すタイミングチャートである。
【符号の説明】
１…レーザ駆動装置、２…レーザダイオード（ＬＤ）、３…フォトダイオード（ＰＤ）、４…Ｉ／Ｖ変換器、５…リード／ボトムパワー検出回路、６…ライトパワー検出回路、７，１５…レーザパワー切換制御装置、８，９…減算器、１０，１３，１４…切換器、２０…ＣＰＵ、２１，３１…Ａ／Ｄ変換器、２２，２３…Ｄ／Ａ変換器、２４…サンプル／ホールド回路。
【図１】
0003613164.tif 000002
【図２】
0003613164.tif 000003
【図３】
0003613164.tif 000004
【図４】
0003613164.tif 000005
【図５】
0003613164.tif 000006
【図６】
0003613164.tif 000007